(57)【特許請求の範囲】
【請求項１】
商品の買い上げに伴う売上登録処理に基づく買上情報と買上場所を特定するマークとを締め宣言手段によって前記売上登録処理の終了が宣言された後に印字用紙に印字してレシートとして発行する商品販売登録データ処理装置において、
前記商品を買い上げる買上客を撮影し、その撮影画像を画像情報として出力する撮影手段と、
この撮影手段により出力された前記買上客の画像情報を所定のタイミングで確定させる画像確定手段と、
前記締め宣言手段によって前記売上登録処理の終了が宣言された際に前記画像確定手段により前記買上客の画像情報が確定している場合、その前記買上客の確定画像情報を前記買上情報と前記買上場所を特定するマークとに加えて前記印字用紙に印字する客画像印字手段と、
前記売上登録処理に基づく売上金額の合計が一定額を超えたか否かを判別する一定額到達判別手段と、
この一定額到達判別手段によって前記売上登録処理に基づく売上金額の合計が一定額を超えたと判別されたことを前記客画像印字手段を実行する条件とする第二客画像印字実行手段と、
を備えることを特徴とする商品販売登録データ処理装置。
【請求項２】
客画像印字選択キーと、
この客画像印字選択キーが操作されたことを前記客画像印字手段を実行する条件とする第一客画像印字実行手段と、
を備えることを特徴とする請求項１記載の商品販売登録データ処理装置。
【請求項３】
買上客側に位置する客側ディスプレイと、
前記客画像印字選択キーが操作された場合に前記買上情報と前記買上場所を特定するマークとに前記撮影手段により出力された前記買上客の画像情報を加えたレシートイメージを前記客側ディスプレイに表示する客画像印字イメージ表示手段と、
を備えることを特徴とする請求項２記載の商品販売登録データ処理装置。
【請求項４】
買上客側に位置する客側ディスプレイと、
前記買上情報と前記買上場所を特定するマークとに前記撮影手段により出力された前記買上客の画像情報を加えたレシートイメージを前記客側ディスプレイに常時表示する客画像印字イメージ常時表示手段と、
を備えることを特徴とする請求項１または２記載の商品販売登録データ処理装置。
【請求項５】
前記売上登録処理に基づく売上金額の合計が一定額を超えた場合に前記買上情報と前記買上場所を特定するマークとに前記買上客の画像情報を加えて印字した前記レシートを発行する旨を報知する客画像印字制限報知手段を備えることを特徴とする請求項１ないし４のいずれか一記載の商品販売登録データ処理装置。
【発明の詳細な説明】
【０００１】
【発明の属する技術分野】
本発明は、ＰＯＳ（Point of Sales：販売時点管理）端末等の商品販売登録データ処理装置に関する。
【０００２】
【従来の技術】
従来、テーマパークや遊園地等の大規模娯楽施設や観光地等に遊びに行った場合、その記念として入場チケットや商品販売登録データ処理装置であるＰＯＳ端末等により印字発行されるロゴマーク（買上場所を特定するマーク）入りのレシートをその時の写真等とともに保管するようなことが行われている。
【０００３】
【発明が解決しようとする課題】
しかしながら、入場チケットやレシートは画一的であり、面白味に欠けていた。
【０００４】
本発明の目的は、記念に残る個性的なレシートを発行することができる商品販売登録データ処理装置を得ることである。
【０００５】
【課題を解決するための手段】
請求項１記載の発明は、商品の買い上げに伴う売上登録処理に基づく買上情報と買上場所を特定するマークとを締め宣言手段によって前記売上登録処理の終了が宣言された後に印字用紙に印字してレシートとして発行する商品販売登録データ処理装置において、前記商品を買い上げる買上客を撮影し、その撮影画像を画像情報として出力する撮影手段と、この撮影手段により出力された前記買上客の画像情報を所定のタイミングで確定させる画像確定手段と、前記締め宣言手段によって前記売上登録処理の終了が宣言された際に前記画像確定手段により前記買上客の画像情報が確定している場合、その前記買上客の確定画像情報を前記買上情報と前記買上場所を特定するマークとに加えて前記印字用紙に印字する客画像印字手段と、前記売上登録処理に基づく売上金額の合計が一定額を超えたか否かを判別する一定額到達判別手段と、この一定額到達判別手段によって前記売上登録処理に基づく売上金額の合計が一定額を超えたと判別されたことを前記客画像印字手段を実行する条件とする第二客画像印字実行手段と、を備える。
【０００６】
したがって、商品の買い上げに伴う売上登録処理の終了が締め宣言手段によって宣言された際に、撮影手段により出力された商品を買い上げる買上客の画像情報が画像確定手段により所定のタイミングで確定されている場合には、客画像印字手段によってその買上客の確定画像情報が売上登録処理に基づく買上情報と買上場所を特定するマークとに加えて印字用紙に印字され、レシートとして発行される。これにより、買上場所を特定するマークとともに買上客の姿が印字された記念に残る個性的なレシートを発行することが可能になる。また、売上登録処理に基づく売上金額の合計が一定額を超えたか否かによって客画像印字手段を実行するか否かが選択されることにより、買上客の確定画像情報が印字されたレシートの価値が高められる。
【０００７】
請求項２記載の発明は、請求項１記載の商品販売登録データ処理装置において、客画像印字選択キーと、この客画像印字選択キーが操作されたことを前記客画像印字手段を実行する条件とする第一客画像印字実行手段と、を備える。
【０００８】
したがって、客画像印字選択キーを操作したか否かによって客画像印字手段を実行するか否かが選択されることにより、買上客の確定画像情報が印字されたレシートが買上客の希望に応じて発行されることになる。
【０００９】
請求項３記載の発明は、請求項２記載の商品販売登録データ処理装置において、買上客側に位置する客側ディスプレイと、前記客画像印字選択キーが操作された場合に前記買上情報と前記買上場所を特定するマークとに前記撮影手段により出力された前記買上客の画像情報を加えたレシートイメージを前記客側ディスプレイに表示する客画像印字イメージ表示手段と、を備える。
【００１０】
したがって、客画像印字選択キーが操作された場合に買上情報と買上場所を特定するマークとに撮影手段により出力された買上客の画像情報を加えたレシートイメージが買上客側に位置する客側ディスプレイに表示されることにより、発行されるレシートが容易に把握されるとともに、画像確定手段による買上客の画像情報の確定が容易になる。
【００１１】
請求項４記載の発明は、請求項１または２記載の商品販売登録データ処理装置において、買上客側に位置する客側ディスプレイと、前記買上情報と前記買上場所を特定するマークとに前記撮影手段により出力された前記買上客の画像情報を加えたレシートイメージを前記客側ディスプレイに常時表示する客画像印字イメージ常時表示手段と、を備える。
【００１２】
したがって、買上情報と買上場所を特定するマークとに撮影手段により出力された買上客の画像情報を加えたレシートイメージが買上客側に位置する客側ディスプレイに常時表示されることにより、買上情報と買上場所を特定するマークとに買上客の確定画像情報を加えたレシートを発行する旨が報知されるとともに、画像確定手段による買上客の画像情報の確定が容易になる。
【００１５】
請求項５記載の発明は、請求項１ないし４のいずれか一記載の商品販売登録データ処理装置において、前記売上登録処理に基づく売上金額の合計が一定額を超えた場合に前記買上情報と前記買上場所を特定するマークとに前記買上客の確定画像情報を加えたレシートを発行する旨を報知する客画像印字制限報知手段を備える。
【００１６】
したがって、買上情報と買上場所を特定するマークとに買上客の確定画像情報を加えたレシートの発行が売上登録処理に基づく売上金額の合計が一定額を超えた場合に限られることが報知されることにより、購買意欲をそそらせることが可能になる。
【００１７】
【発明の実施の形態】
本発明の実施の一形態を図１ないし図７に基づいて説明する。本実施の形態の商品販売登録データ処理装置は、大規模娯楽施設等で使用されるＰＯＳ端末に適用されている。
【００１８】
ここで、図１はＰＯＳ端末１を概略的に示す外観斜視図、図２はその背面図である。図１に示すように、このＰＯＳ端末１の筐体である本体ケース２の操作者側から見て左側には、サーマルプリンタ３（図４参照）を内部に内蔵するプリンタカバー４が設けられており、そのプリンタカバー４にはサーマルプリンタ３から印字発行されるレシートＲ（図７参照）を発行するレシート発行口５が形成されている。また、プリンタカバー４の上部には、商品等に付される商品コードを光学的に読み取るためのバーコードスキャナ２０（図４参照）を載置するためのスキャナ載置部６が凹形状に形成されている。さらに、本体ケース２の操作者側から見て左側には、ＩＣカードＲ／Ｗ（図示せず）にＩＣカードを挿入するためのカード挿入口７も設けられている。一方、ＰＯＳ端末１の本体ケース２の操作者側から見て右側には、チルト自在なディスプレイ８、各種のキーが集合するキーボード９、磁気カードＲ／Ｗ（図示せず）に磁気カードを挿入するための磁気カード挿入口１０等が設けられている。
【００１９】
また、図２に示すように、ＰＯＳ端末１の客側に位置する背面には、例えばＬＣＤ（Liquid Crystal Display）である客側ディスプレイ１１が設けられている。この客側ディスプレイ１１の表示面上には、抵抗膜式のタッチパネル１２が積層されており、客側ディスプレイ１１に表示されるボタン等とタッチパネル１２の座標との位置関係の同期をとることによって、客側ディスプレイ１１は操作部としても機能することになる。加えて、ＰＯＳ端末１の背面であって客側ディスプレイ１１の上方には、ＣＣＤ（Charge Coupled Device）を主体に構成される小型のＣＣＤカメラ１３が設けられている。このＣＣＤカメラ１３は、ＰＯＳ端末１の背面に買上客が位置した場合にその買上客の顔付近を撮影可能なように取り付けられている。つまり、ＣＣＤカメラ１３が買上客を撮影し、その撮影画像を画像情報として出力する撮影手段として機能することになる。
【００２０】
次に、キーボード９について説明する。ここで、図３はキーボード９の各種キーの配列を示す平面図である。図３に示すように、キーボード９は、商品コードや金額等を入力するための置数キー９ａ、締め宣言手段であって売上処理において現金による締めを宣言するための預／現計キー９ｂ、売上合計金額の算出を宣言するための小計キー９ｃ、客画像印字選択キーとして機能してＣＣＤカメラ１３により撮影された画像の取り込みを宣言するための画像取込キー９ｄ等の各種のキーをブロック毎に配列した外観構造を有している。また、９ａ〜９ｄ以外のキーについては、従来のＰＯＳ端末やＥＣＲが備えるキーであって本実施の形態のＰＯＳ端末１に特有の機能とは無関係であるため、その説明は省略する。
【００２１】
続いて、このような構成のＰＯＳ端末１に内蔵される各部の電気的接続について図４を参照して説明する。図４に示すように、ＰＯＳ端末１は、マイクロコンピュータ（以下、マイコンという）１４を内蔵している。マイコン１４は、各部を集中的に制御するＣＰＵ１５にバスライン１６を介して、起動プログラム等の固定的データを予め格納する記憶媒体であるＲＯＭ１７と、可変的なデータを書き換え自在に格納するＲＡＭ１８と、日付や時刻を計時するタイマＴとを接続することにより構成されている。ＲＡＭ１８は、各種データを書き換え自在に格納する機能を利用して、売上バッファや印字バッファ等のワークエリアや画像メモリ等の機能を果たす。
【００２２】
また、ＣＰＵ１５に接続されたバスライン１６にはＨＤＤ１９が接続されており、このＨＤＤ１９には制御プログラムや、商品マスタファイル、売上ファイル等が格納されている。特に図示しないが、商品マスタファイルは、商品の商品コード毎に商品名、単価、部門コード等を対応付けて記憶保持するファイル構造を備える。また、売上ファイルは、売上明細や売上金額等の商品売上履歴を記憶保持するファイル構造を備える。このＨＤＤ１９に格納された制御プログラムは、ＰＯＳ端末１の起動時に商品マスタファイル等とともにＲＡＭ１８に書き込まれ、これによってマイコン１４による各部の駆動制御が可能な状態となる。次に、マイコン１４によって駆動制御される各部を説明する。
【００２３】
前述したサーマルプリンタ３、ディスプレイ８、キーボード９、客側ディスプレイ１１、タッチパネル１２、ＣＣＤカメラ１３、バーコードスキャナ２０等の各部はバスライン１６と各種制御回路（図示せず）とを介してマイコン１４に接続されており、マイコン１４によって駆動制御される。
【００２４】
キーボード９およびタッチパネル１２は操作されたキーや位置に応じた信号をマイコン１４に入力し、ディスプレイ８および客側ディスプレイ１１はマイコン１４から出力された表示データに基づいて所定事項を表示し、バーコードスキャナ２０は読み取った商品コードのデータをマイコン１４に送信する。
【００２５】
また、サーマルプリンタ３は、マイコン１４から出力された印字データに応じた内容を印字用紙（図示せず）に印字する。このサーマルプリンタ３には、カッタ機構（図示せず）が内蔵されており、このカッタ機構もマイコン１４によって駆動制御され、印字用紙を所定の位置において切断する。これにより、レシートＲ（図７参照）が印字発行される。
【００２６】
さらに、マイコン１４にはバスライン１６を介して画像処理部２１が接続されており、この画像処理部２１はＣＣＤカメラ１３によって買上客を撮影した画像データをＲＡＭ１８に記憶する印字データの状態に変換処理する。
【００２７】
加えて、ＰＯＳ端末１にはコントロールキー２２が設けられており、バスライン１６を介してマイコン１４に接続されており、鍵（図示せず）の切り換え位置に応じた信号をマイコン１４に入力する。マイコン１４は、コントロールキー２２の出力信号に応じて、ＰＯＳ端末１の動作モードを登録モード、設定モード、精算モード、点検モード等の各業務モードに設定する。
【００２８】
次に、ＰＯＳ端末１のＨＤＤ１９に格納された制御プログラムがマイコン１４に実行させる機能について説明する。起動後のＰＯＳ端末１では、コントロールキー２２の切り換え位置に応じて動作モードが選択される。つまり、コントロールキー２２の切り換え位置によって発生する出力信号に応じ、マイコン１４がＰＯＳ端末１の動作モードを登録モード、設定モード、精算モード、点検モード等に設定する。本実施の形態においては、各モードの処理について従来のＰＯＳ端末によって行なわれる処理と同様の処理についてはその説明を省略する。
【００２９】
ここで、コントロールキー２２の切り換え操作によって登録モードに設定されている場合の客側ディスプレイ１１の表示内容について図５を参照して説明する。図５に示すように、客側ディスプレイ１１の表示領域は、タッチパネル１２との組み合わせによりＣＣＤカメラ１３により出力された買上客の画像情報を所定のタイミングで静止画像として確定させるためのシャッターボタン２３となり得る“ボタンイメージ”Ｂを表示する領域であるボタンイメージ表示領域１１ａと、ＣＣＤカメラ１３により撮影される“買上客の画像情報”を表示する撮影画像表示領域１１ｂを含む“レシートイメージ”Ｉを表示する領域であるレシートイメージ表示領域１１ｃと、“メッセージ”Ｍを表示する領域であるメッセージ表示領域１１ｄとで構成されている。ここに、客画像印字イメージ常時表示手段が実現されている。このように、客側ディスプレイ１１に“レシートイメージ”Ｉを常時表示することにより、レシートＲを発行する旨を報知することができるとともに、撮影画像表示領域１１ｂに表示される“買上客の画像情報”によってシャッターボタン２３による買上客の画像情報の確定を容易にすることができる。これらの“ボタンイメージ”Ｂと“レシートイメージ”Ｉと“メッセージ”Ｍとは、制御プログラムに記憶されている。なお、メッセージ表示領域１１ｄには、例えば、“5,000円以上購入されたお客様のレシートには、左のようにあなたの写真を印刷することができます。お気に入りのタイミングでシャッターボタンを押してください。”というような“メッセージ”Ｍが表示される。ここに、客画像印字制限報知手段が実現されている。したがって、レシートＲの発行が一定額を超えた場合に限られることを報知することにより、購買意欲をそそらせることができる。
【００３０】
次に、本実施の形態のＰＯＳ端末１の有する特長的な機能である売上処理の流れを以下に説明する。ここで、図６は売上処理の流れを概略的に示すフローチャートである。売上処理は、コントロールキー２２の切り換え操作によって登録モードに設定されていることを条件として実行される。図６に示すように、売上処理としては、まず、売上商品についてのバーコードスキャナ２０による商品コードの読み取りやキーボード９の置数キー９ａによる商品コードの入力、及びキーボード９の置数キー９ａによる販売個数の入力に待機する（ステップＳ１）。バーコードスキャナ２０による商品コードの読み取り、及びキーボード９のキー操作による販売個数の入力等があったと判断されると（ステップＳ１のＹ）、ステップＳ２において売上登録処理が実行される。この売上登録処理では、入力された商品コードに基づいて商品マスタファイルを検索することにより得られた商品名や単価等に基づく売上データがＲＡＭ１８の売上バッファに記憶され、その単価等の取引情報がディスプレイ８に表示される。加えて、ここまでの売上データに基づく小計金額が算出され、ディスプレイ８に表示される。
【００３１】
続くステップＳ３においては、これまでの売上登録処理で算出された小計金額が一定額（ここでは、5,000円とする。）を超えたか否かが判別される。ここに、一定額到達判別手段の機能が実行される。
【００３２】
これまでの売上登録処理で算出された小計金額が5,000円以上であると判別された場合には（ステップＳ３のＹ）、ステップＳ４においてキーボード９の画像取込キー９ｄが操作されたか否かが判別される。この画像取込キー９ｄは、後述する締め処理が実行される前に操作されていれば良く、例えば小計金額が5,000円以上になったところでキャッシャが買上客に客側ディスプレイ１１のレシートイメージ表示領域１１ｃに表示されている“レシートイメージ”Ｉのようなレシート（買上客の姿が印字されたレシート）を希望するか否かを尋ねてから操作するものである。なお、小計金額が5,000円以上でない場合には（ステップＳ３のＮ）、ステップＳ７に進む。したがって、5,000円以上の買い上げがないとレシートＲが発行されないので、レシートＲの価値を高めることができる。
【００３３】
画像取込キー９ｄが操作されている場合には（ステップＳ４のＹ）、ステップＳ５において客側ディスプレイ１１のシャッターボタン２３が操作されたか否かが判別される。このシャッターボタン２３は、後述する締め処理が実行される前に操作されていれば良く、例えば客側ディスプレイ１１のメッセージ表示領域１１ｄに表示されている“5,000円以上購入されたお客様のレシートには、左のようにあなたの写真を印刷することができます。お気に入りのタイミングでシャッターボタンを押してください。”というメッセージに従って、買上客が自由に操作するものである。レシートイメージ表示領域１１ｃの中の撮影画像表示領域１１ｂには、ＣＣＤカメラ１３により撮影される“買上客の画像情報”が常時表示されており、撮影画像表示領域１１ｂを見ながら所定のタイミングでシャッターボタン２３を操作すると、ＣＣＤカメラ１３により撮影される“買上客の画像情報”が静止画像として確定され、その確定された買上客の静止画像は画像データとしてＲＡＭ１８に一時的に記憶される。ここに、画像確定手段の機能が実行される。なお、画像取込キー９ｄが操作されていない場合には（ステップＳ４のＮ）、ステップＳ７に進む。したがって、レシートＲを買上客の希望に応じて発行することができる。
【００３４】
シャッターボタン２３が操作されている場合には（ステップＳ５のＹ）、ステップＳ６において画像取込処理が実行される。画像取込処理は、ＲＡＭ１８に一時的に記憶された画像データを画像処理部２１において印字データの状態に変換処理してＲＡＭ１８に記憶する。なお、シャッターボタン２３が操作されていない場合には（ステップＳ５のＮ）、ステップＳ７に進む。
【００３５】
ステップＳ１〜Ｓ６の処理は、キーボード９の預／現計キー９ｂが操作されて締めが宣言されたと判断される迄（ステップＳ７のＹ）、繰り返される。
【００３６】
キーボード９の預／現計キー９ｂが操作されて締めが宣言されたと判断されると（ステップＳ７のＹ）、ステップＳ８において締め処理が実行される。この締め処理では、ＲＡＭ１８の売上バッファに記憶された売上データやこの売上データに基づいて算出される消費税額、売上合計金額等で構成される買上情報に基づく印字データが生成されて印字バッファに記憶される。この買上情報に基づく印字データは、画像データを画像処理部２１において変換処理した印字データがある場合にはこの変換処理された印字データと合成され、制御プログラムに記憶されている施設や店舗、地域等を示す買上場所を特定するマークであるロゴマークの印字データとともにサーマルプリンタ３に出力されて印字され、カッタ機構によって全切断された後にレシート発行口５からレシートＲとして発行される。ここに、客画像印字手段の機能が実行される。また、売上バッファに記憶された売上データ等は、例えば、商品毎の売上数量、売上金額、買上客数等の算出にも供され、その算出結果はＨＤＤ１９の売上ファイルに記憶される。
【００３７】
ここで、図７は発行されたレシートＲの一例を示す平面図である。レシートＲには、従来のレシートと同様にロゴマークａとともに、商品毎の売上数量、売上金額や消費税額、売上合計金額等の買上情報ｂが印字される。加えて、レシートＲには、ＣＣＤカメラ１３により撮影された買上客の姿（確定画像情報）ｃも印字される。
【００３８】
ここに、商品の買い上げに伴う売上登録処理の終了が預／現計キー９ｂによって宣言された際に、ＣＣＤカメラ１３により出力された商品を買い上げる買上客の画像情報がシャッターボタン２３の操作に基づく画像確定手段により所定のタイミングで確定されている場合には、その買上客の確定画像情報ｃが売上登録処理に基づく買上情報ｂとロゴマークａとに加えて印字用紙に印字され、レシートＲとして発行される。これにより、ロゴマークａとともに買上客の姿（確定画像情報）ｃが印字された記念に残る個性的なレシートＲを発行することが可能になる。
【００３９】
なお、本実施の形態においては、コントロールキー２２の切り換え操作によって登録モードに設定されている場合には、常時、客側ディスプレイ１１に“レシートイメージ”Ｉを表示するようにしたが、これに限るものではなく、キーボード９の画像取込キー９ｄが操作された場合に初めて客側ディスプレイ１１に“レシートイメージ”Ｉを表示するようにしても良い。ここに、客画像印字イメージ表示手段が実現されている。
【００４０】
また、本実施の形態においては、画像取込キー９ｄをキーボード９に設けたが、これに限るものではなく、客側ディスプレイ１１に設けるようにしても良い。この場合には、買上客の姿が印字されたレシートを希望するか否かを買上客が自ら判断して操作することになる。
【００４１】
さらに、本実施の形態においては、ロゴマークａを１種類のみとしたが、これに限るものではなく、ロゴマークａを複数用意して選択可能な構成にしても良い。
【００４２】
【発明の効果】
請求項１記載の発明によれば、商品の買い上げに伴う売上登録処理に基づく買上情報と買上場所を特定するマークとを締め宣言手段によって前記売上登録処理の終了が宣言された後に印字用紙に印字してレシートとして発行する商品販売登録データ処理装置において、前記商品を買い上げる買上客を撮影し、その撮影画像を画像情報として出力する撮影手段と、この撮影手段により出力された前記買上客の画像情報を所定のタイミングで確定させる画像確定手段と、前記締め宣言手段によって前記売上登録処理の終了が宣言された際に前記画像確定手段により前記買上客の画像情報が確定している場合、その前記買上客の確定画像情報を前記買上情報と前記買上場所を特定するマークとに加えて前記印字用紙に印字する客画像印字手段と、を備え、商品の買い上げに伴う売上登録処理の終了が締め宣言手段によって宣言された際に、撮影手段により出力された商品を買い上げる買上客の画像情報が画像確定手段により所定のタイミングで確定されている場合には、客画像印字手段によってその買上客の確定画像情報を売上登録処理に基づく買上情報と買上場所を特定するマークとに加えて印字用紙に印字し、レシートとして発行することにより、買上場所を特定するマークとともに買上客の姿を印字した記念に残る個性的なレシートを発行することができる。また、前記売上登録処理に基づく売上金額の合計が一定額を超えたか否かを判別する一定額到達判別手段と、この一定額到達判別手段によって前記売上登録処理に基づく売上金額の合計が一定額を超えたと判別されたことを前記客画像印字手段を実行する条件とする第二客画像印字実行手段と、を備え、売上登録処理に基づく売上金額の合計が一定額を超えたか否かによって客画像印字手段を実行するか否かを選択することにより、買上客の確定画像情報が印字されたレシートの価値を高めることができる。
【００４３】
請求項２記載の発明によれば、請求項１記載の商品販売登録データ処理装置において、客画像印字選択キーと、この客画像印字選択キーが操作されたことを前記客画像印字手段を実行する条件とする第一客画像印字実行手段と、を備え、客画像印字選択キーを操作したか否かによって客画像印字手段を実行するか否かを選択することにより、買上客の確定画像情報を印字したレシートを買上客の希望に応じて発行することができる。
【００４４】
請求項３記載の発明によれば、請求項２記載の商品販売登録データ処理装置において、買上客側に位置する客側ディスプレイと、前記客画像印字選択キーが操作された場合に前記買上情報と前記買上場所を特定するマークとに前記撮影手段により出力された前記買上客の画像情報を加えたレシートイメージを前記客側ディスプレイに表示する客画像印字イメージ表示手段と、を備え、客画像印字選択キーが操作された場合に買上情報と買上場所を特定するマークとに撮影手段により出力された買上客の画像情報を加えたレシートイメージを買上客側に位置する客側ディスプレイに表示することにより、発行されるレシートを容易に把握することができるとともに、画像確定手段による買上客の画像情報の確定を容易にすることができる。
【００４５】
請求項４記載の発明によれば、請求項１または２記載の商品販売登録データ処理装置において、買上客側に位置する客側ディスプレイと、前記買上情報と前記買上場所を特定するマークとに前記撮影手段により出力された前記買上客の画像情報を加えたレシートイメージを前記客側ディスプレイに常時表示する客画像印字イメージ常時表示手段と、を備え、買上情報と買上場所を特定するマークとに撮影手段により出力された買上客の画像情報を加えたレシートイメージを買上客側に位置する客側ディスプレイに常時表示することにより、買上情報と買上場所を特定するマークとに買上客の確定画像情報を加えたレシートを発行する旨を報知することができるとともに、画像確定手段による買上客の画像情報の確定を容易にすることができる。
【００４７】
請求項５記載の発明によれば、請求項１ないし４のいずれか一記載の商品販売登録データ処理装置において、前記売上登録処理に基づく売上金額の合計が一定額を超えた場合に前記買上情報と前記買上場所を特定するマークとに前記買上客の確定画像情報を加えたレシートを発行する旨を報知する客画像印字制限報知手段を備え、買上情報と買上場所を特定するマークとに買上客の確定画像情報を加えたレシートの発行が売上登録処理に基づく売上金額の合計が一定額を超えた場合に限られることを報知することにより、購買意欲をそそらせることができる。
【図面の簡単な説明】
【図１】本発明の実施の一形態のＰＯＳ端末を概略的に示す外観斜視図である。
【図２】その背面図である。
【図３】キーボードの各種キーの配列を示す平面図である。
【図４】ＰＯＳ端末に内蔵される各部の電気的接続を示すブロック図である。
【図５】登録モードに設定されている場合の客側ディスプレイの表示内容を示す正面図である。
【図６】売上処理の流れを概略的に示すフローチャートである。
【図７】発行されたレシートの一例を示す平面図である。
【符号の説明】
１        商品販売登録データ処理装置
９ｂ      締め宣言手段
９ｄ      客画像印字選択キー
１１      客側ディスプレイ
１３      撮影手段
Ｉ        レシートイメージ
Ｒ        レシート
ａ        買上場所を特定するマーク
ｂ        買上情報
ｃ        確定画像情報
【図１】
0003770528.tif 000002
【図２】
0003770528.tif 000003
【図３】
0003770528.tif 000004
【図４】
0003770528.tif 000005
【図５】
0003770528.tif 000006
【図６】
0003770528.tif 000007
【図７】
0003770528.tif 000008